(57)【要約】【課題】軽量で取扱性及び収納性に優れ、物品のサイズや形状に応じて所望の配置領域（配置位置）を形成することができる紙製装飾棚を提供する【解決手段】接地面に対して略鉛直に立設する左側面及び右側面と、左端近傍及び右端近傍に配設された二つの孔により構成される対状係止孔が前後方向に所定の間隔で複数配置された天面と、を含み、前記天面が後方から前方に下方傾斜し、前記天面の左端を前記左側面の上端と係合し、右端を前記右側面の上端と係合して構成した本体部と、物品支持面と、前記対状係止孔に係止可能な対状係止部と、を含む支持アタッチメントと、を具備し、前記支持面を前記天面の略後方側に対向させつつ、複数の前記対状係止孔から任意に選択して前記対状係止部を係止することで、前記天面に対して前記支持アタッチメントを位置調整自在に装着可能であること、を特徴とする紙製装飾棚。【選択図】図１
0003216747.tif 000002
【実用新案登録請求の範囲】
【請求項１】
接地面に対して略鉛直に立設する左側面及び右側面と、左端近傍及び右端近傍に配設された二つの孔により構成される対状係止孔が前後方向に所定の間隔で複数配置された天面と、を含み、前記天面が後方から前方に下方傾斜し、前記天面の左端を前記左側面の上端と係合し、右端を前記右側面の上端と係合して構成した本体部と、
物品支持面と、前記対状係止孔に係止可能な対状係止部と、を含む支持アタッチメントと、を具備し、
前記支持面を前記天面の略後方側に対向させつつ、複数の前記対状係止孔から任意に選択して前記対状係止部を係止することで、前記天面に対して前記支持アタッチメントを位置調整自在に装着可能であること、
を特徴とする紙製装飾棚。
【請求項２】
前記支持アタッチメントが、前記物品支持面と略鉛直に配置されて前記天面に面接する接触面を具備すること、
を特徴とする請求項１に記載の紙製装飾棚。
【請求項３】
前記対状係止部が、前記接触面から略鉛直に立設した二つの突起を対にして構成され、前記突起が前記天面の裏面に係止する係止片を具備していること、
を特徴とする請求項１又は２に記載の紙製装飾棚。
【請求項４】
前記天面が、前記天面より上方に位置した棚面を有する棚アタッチメントを着脱自在に具備すること、
を特徴とする請求項１〜３のうちのいずれかに記載の紙製装飾棚。
【請求項５】
複数の前記本体部と、隣接する前記本体部を連結する連結片と、を具備すること、
を特徴とする請求項１〜４のうちのいずれかに記載の紙製装飾棚。
【考案の詳細な説明】
【技術分野】
【０００１】
本考案は、軽量で取扱性及び収納性に優れ、物品のサイズや形状に応じて所望の配置領域を形成することができる紙製装飾棚に関する。
【背景技術】
【０００２】
従来、例えば店舗内における商品や展示場における展示品等の物品は、種々の展示棚を用いて配置されていた。店舗内や展示場で上記物品を配置する場合、消費者等の観者の視線により触れ易くする工夫が必要であり、最近ではスペースの状況に応じて棚幅を適宜調整可能なものも存在する。
【先行技術文献】
【特許文献】
【０００３】
【特許文献１】実用新案登録第３１６０５８０号公報
【特許文献２】特開２０１７−１９２６７１号公報
【考案の概要】
【考案が解決しようとする課題】
【０００４】
しかしながら、上記のような従来の展示棚は、主として展示領域を左右方向にスライド拡張して種々のサイズの物品に対応するものであって、前後方向の物品の展示位置の調整を行えるものではなかった。また、スライド式を採用しているため、剛性の担保が乏しく、種々の物品に対応できるとは言えなかった。
【０００５】
そこで、本考案は上記問題に鑑み、軽量で取扱性及び収納性に優れ、物品のサイズや形状に応じて所望の配置領域（配置位置）を形成することができる紙製装飾棚を提供することを目的とする。
【課題を解決するための手段】
【０００６】
上記の課題を解決すべく、本考案は、
接地面に対して略鉛直に立設する左側面及び右側面と、左端近傍及び右端近傍に配設された二つの孔により構成される対状係止孔が前後方向に所定の間隔で複数配置された天面と、を含み、前記天面が後方から前方に下方傾斜し、前記天面の左端を前記左側面の上端と係合し、右端を前記右側面の上端と係合して構成した本体部と、
物品支持面と、前記対状係止孔に係止可能な対状係止部と、を含む支持アタッチメントと、を具備し、
前記支持面を前記天面の略後方側に対向させつつ、複数の前記対状係止孔から任意に選択して前記対状係止部を係止することで、前記天面に対して前記支持アタッチメントを位置調整自在に装着可能であること、
を特徴とする紙製装飾棚を提供する。
【０００７】
このような構成を有する本考案の紙製装飾棚では、本体部が具備する傾斜した天面に物品を配置することができるため、配置した物品が観者の視線に入り易い。また、複数の対状係止孔から任意に選択して支持アタッチメントを装着することができるため、物品のサイズや形状に応じて所望の配置領域（配置位置）を形成することができる。また、紙製であることから軽量で取扱性及び収納性にも優れるが、本体部を略箱状に形成しているため剛性を担保することができる。
【０００８】
また、上記の本考案の紙製装飾棚においては、
前記支持アタッチメントが、前記物品支持面と略鉛直に配置されて前記天面に面接する接触面を具備することが望ましい。
【０００９】
このような構成を有する本考案の紙製装飾棚では、接触面が天面に面接することにより、この接触面と略鉛直に配設された物品支持面が天面に対しても略鉛直に立設するため、物品を確実に支持することができる。
【００１０】
また、上記の本考案の紙製装飾棚においては、
前記対状係止部が、前記接触面から略鉛直に立設した二つの突起を対にして構成され、前記突起が前記天面の裏面に係止する係止片を具備していることが望ましい。
【００１１】
このような構成を有する本考案の紙製装飾棚では、対状係止部の突起を対状係止孔に挿入することができ、更に、係止片の上端を天面の裏面に当接させることができるため、物品支持面が物品の重量を受けた際でも、支持アタッチメントの意図しない移動や回転を防止することができる。
【００１２】
また、上記の本考案の紙製装飾棚においては、
前記天面が、前記天面より上方に位置した棚面を有する棚アタッチメントを着脱自在に具備することが望ましい。
【００１３】
このような構成を有する本考案の紙製装飾棚では、物品を本体部の天面から上方に離間し、より観者の視線に入るよう効果的な配置が可能となる。また、任意に着脱することができるため、状況に応じて構成を変更することができる。
【００１４】
また、上記の本考案の紙製装飾棚においては、
複数の前記本体部と、隣接する前記本体部を連結する連結片と、を具備することが望ましい。
【００１５】
このような構成を有する本考案の紙製装飾棚では、連結片を使用することで複数の紙製装飾棚を連結することができる。紙製装飾棚を複数連結することで、剛性を担保しつつ物品の配置領域を任意に変更することができ、より多くの物品を同時に配置することができる。また、室内のスペースに応じて紙製装飾棚を連結構成できるため、より意匠性の高い展示態様をとることができる。
【考案の効果】
【００１６】
本考案によれば、軽量で取扱性及び収納性に優れ、物品のサイズや形状に応じて所望の配置領域（配置位置）を形成可能な紙製装飾棚を提供することができる。
【図面の簡単な説明】
【００１７】
【図１】本実施形態の紙製装飾棚１の概要を示す斜視図である。
【図２】本体部３の構造を示す図であって、図２（ａ）は、本体部３の平面図であり、図２（ｂ）は、本体部３の右側面図であり、図２（ｃ）は、本体部３の背面図である。
【図３】展開時の本体部３を示す平面図である。
【図４】図３の展開態様を有した本体部３の組み立て方法を示す図であって、図４（ａ）は、各面を折って本体部３の形状にする状態を示す模式図であり、図４（ｂ）は、リブ３７及び面接部３９を本体部３内に挿入する状態を示す模式図であり、図４（ｃ）は、面接部３９を底面３５の裏面に面接する状態を示す模式図である。
【図５】支持アタッチメント５の構造を示す図であって、図５（ａ）は、支持アタッチメント５の平面図であり、図５（ｂ）は、支持アタッチメント５の正面図であり、図５（ｃ）は、支持アタッチメント５の右側面図である。
【図６】展開時の支持アタッチメント５を示す斜視図である。
【図７】図６の展開態様を有した支持アタッチメント５の組み立て手順を示す図であって、図７（ａ）は、各面を折って支持アタッチメント５の形状にする状態を示す模式図であり、図７（ｂ）は、各面を係合した状態を示す模式図であり、図７（ｃ）は、対状係止部１９を立ち上げた状態を示す模式図である。
【図８】本体部３に対して支持アタッチメント５を装着する手順を示す図であって、図８（ａ）は、支持アタッチメント５の装着位置を選定する状態を示す模式図であり、図８（ｂ）は、対状係止孔１３に対状係止部１９を挿入する状態を示す模式図であり、図８（ｃ）は、本体部３に対する支持アタッチメント５の装着が完了した状態を示す模式図である。
【図９】天面７に対する支持アタッチメント５の装着状態を示す対状係止部１９近傍の断面図である。
【図１０】棚アタッチメント２３の構造を示す図であって、図１０（ａ）は、棚アタッチメント２３の正面図であり、図１０（ｂ）は、図１０（ａ）における矢視Ａの断面図である。
【図１１】本体部３に対して棚アタッチメント２３を装着する手順を示す図であって、図１１（ａ）は、棚用係止孔２９に棚用係止片４１を挿入する状態を示す模式図であり、図１１（ｂ）は、本体部３の天面７に棚アタッチメント２３が固定された状態を示す模式図である。
【図１２】連結に用いる連結片２７の構造を示す図であって、図１２（ａ）は、連結片２７の平面図であり、図１２（ｂ）は、使用状態の連結片２７の斜視図である。
【図１３】紙製装飾棚１０１と紙製装飾棚２０１との連結手順を示す図であって、図１３（ａ）は、紙製装飾棚１０１と紙製装飾棚２０１とを並列した状態を示す斜視図であり、図１３（ｂ）は、連結片２７の挿入を示す模式図であり、図１３（ｃ）は、天面７に対する連結片２７の装着状態を示す対状係止部４３近傍の断面図である。
【図１４】複数の紙製装飾棚を連結した状態を示す斜視図である。
【図１５】枡目型アタッチメント５１の概要を示す模式図である。
【考案を実施するための形態】
【００１８】
以下、図を参照しながら、本考案の紙製装飾棚の代表的な実施形態について詳細に説明する。但し、本考案は図示されるものに限られるものではなく、各図面は本考案を概念的に説明するためのものであるから、理解容易のために必要に応じて比や数を誇張又は簡略化して表している場合もある。更に、以下の説明では、同一又は相当部分には同一符号を付し、重複する説明は省略することもある。
【００１９】
１．紙製装飾棚１の概要
図１を用いて本実施形態の紙製装飾棚１の概要について説明する。図１は、本実施形態の紙製装飾棚１の概要を示す斜視図である。紙製装飾棚１は、例えば雑貨等のある程度小さな物品の展示を補助するダンボールで構成された紙製の装飾棚であって、軽量で取扱性及び収納性に優れ、更に物品の配置位置を任意に調整して最適化することができるものである。また、紙製装飾棚１は、複数を並列して簡便に連結することができ、物品の大きさや数に応じて配置面積を調整することもできる。
【００２０】
なお、本明細書では紙製装飾棚１の前後方向をＹ、左右方向をＸ及び高さ方向をＺとして詳細に説明を行う。
【００２１】
２．紙製装飾棚１の構造
次に、本実施形態の紙製装飾棚１の構造について詳細に説明する。図１に示すとおり、紙製装飾棚１は、主構造体となる本体部３と、本体部３に装着して物品を支持する支持アタッチメント５と、本体部３に装着して物品を高い位置で支持する棚アタッチメント２３と、から構成されている。なお、支持アタッチメント５は、配置する物品に応じて複数を用意して装着することができる。
【００２２】
＜本体部３の構造＞
続いて、図２（ａ）（ｂ）（ｃ）を用いて本体部３の構造について詳細に説明する。図２（ａ）（ｂ）（ｃ）は、本体部３の構造を示す図であって、図２（ａ）は、本体部３の平面図であり、図２（ｂ）は、本体部３の右側面図であり、図２（ｃ）は、本体部３の背面図である。図２（ａ）（ｂ）（ｃ）に示すとおり、本体部３はダンボールを用いて略矩形に形成された箱状部品であって、天面７と、左側面９と、右側面１１と、前面３１と、背面３３と、底面３５と、の６面を具備して構成されている。
【００２３】
なお、この６面は、ダンボールの板の表面であり、各面を有する板をそれぞれ係合して組合せることにより本体部３を構成するため、内部は中空となっているが、上述のとおり６面を有する箱状であるため、優れた剛性を有する。
【００２４】
＜天面７、対状係止孔１３及び棚用係止孔２９＞
天面７は、接地面（図示せず）に対して前後方向Ｙの後方から前方にかけて下方傾斜しており、自身を貫通する複数の対状係止孔１３と、棚用係止孔２９と、を有している。対状係止孔１３は、後述する支持アタッチメント５を本体部３に装着するための部位である。対状係止孔１３は、一対の係止孔、即ち互いに対向する第一孔１３Ａ及び第二孔１３Ｂで構成され、第一孔１３Ａは天面７の左右方向Ｘの左端近傍に配設され、第二孔１３Ｂは右端近傍に配設されている。
【００２５】
また、上記構成の対状係止孔１３は、天面７の前後方向Ｙに所定の間隔で複数配置されている。この間隔は、後述する支持アタッチメント５の形状やサイズに応じて適宜決定すればよい。なお、第一孔１３Ａ及び第二孔１３Ｂは、前後方向Ｙに延びる長孔や長方形の孔とすることが望ましい。第一孔１３Ａ及び第二孔１３Ｂの離間距離や孔のサイズは、後述する支持アタッチメント５が具備する対状係止部１９の構造に応じて適宜決定すればよい。
【００２６】
棚用係止孔２９は、後述する棚アタッチメント２３を本体部３に装着するための部位であって、本実施形態では天面７の前後方向Ｙの後方近傍において、左右方向Ｘの両端にそれぞれ前後方向Ｙに延びる長方形の孔を２個ずつ（合計４個）を平行に配置することで形成されている。なお、棚用係止孔２９を構成する孔の離間距離やサイズは、後述する棚アタッチメント２３が具備する棚用係止片４１の構造に応じて適宜決定すればよい。
【００２７】
＜左側面９及び右側面１１＞
左側面９及び右側面１１は、本体部３の左右方向Ｘの両端に配設される面であって、上述した天面７の両端で、天面７に対して略鉛直に係合されている。より具体的には、天面７の左端に左側面９の上端を係合し、かつ右端に右側面１１の上端を係合することで天面７を傾斜させつつ支持している。
【００２８】
＜前面３１、背面３３及び底面３５＞
前面３１及び背面３３は、本体部３の前後方向Ｙの両端に配設される面であって、底面３５は、本体部３の高さ方向Ｚの下方に配設される面である。なお、前面３１及び背面３３の上端は天面７に係合され、左右の端部はそれぞれ左側面９又は右側面１１に係合されている。また、底面３５は、前後方向Ｙの両端をそれぞれ前面３１又は背面３３に係合されている。本実施形態では、背面３３に開口４７を設けることで、本体部３全体の剛性を担保するためのリブ３７を本体部３内部の所定位置に配設可能としている。
【００２９】
＜展開状態の本体部３＞
上述した本体部３は、各面を備える独立した複数の板を組み合わせることで構成してもよいが、図３に示すように、各部を折って立体的に組立可能な一枚の板で構成してもよい。特徴として、背面３３の左右方向Ｘの両端にそれぞれ、本体部３全体の剛性を担保するためのリブ３７及び面接部３９が配設されている。また、必要に応じて各面の係合を補助するため、互いに係止する孔や突起（図示せず）が複数配設されている。
【００３０】
このような構成にすれば、本体部３の組立を簡便化することができ、更に組立状態と板状態とを可逆的に変更することができる。即ち、必要時に組立て、不要時には板状態に戻して容易に運搬や収納することができる。図３は展開時の本体部３を示す平面図である。なお、図３は、展開例であって、組み立てることで同様の本体部３を構成できれば、その他の展開態様としてもよいことは言うまでもない。
【００３１】
＜本体部３の組み立て＞
次に、図４（ａ）（ｂ）（ｃ）を用い、図３に示す展開態様を有した本体部３の組み立て手順について詳細に説明する。図４（ａ）（ｂ）（ｃ）は、図３の展開態様を有した本体部３の組み立て手順を示す図であって、図４（ａ）は、各面を折って本体部３の形状にする状態を示す模式図であり、図４（ｂ）は、リブ３７及び面接部３９を本体部３内に挿入する状態を示す模式図であり、図４（ｃ）は、面接部３９を底面３５の裏面に面接する状態を示す模式図である。
【００３２】
図４（ａ）に示すとおり、天面７を下方にした状態で左側面９、右側面１１及び前面３１を谷折りし、更に底面３５を折り返して左側面９及び右側面１１と係合させる。次に、図４（ｂ）に示すとり、天面７を上方に配置した後、二つのリブ３７を山折りし、また面接部３９を谷折りした状態で背面３３を山折りする。この際、背面３３の両端に配設されたリブ３７及び面接部３９を本体部３の内部に挿入する。続いて、図４（ｃ）に示すとおり、双方のリブ３７をそれぞれ左側面９及び右側面１１の裏面に面接させ、更に面接部３９を底面３５の裏面に面接する。これら手順を完了することで本体部３の組み立てが完了する。
【００３３】
＜支持アタッチメント５の構造＞
続いて、図５（ａ）（ｂ）（ｃ）を用いて支持アタッチメント５の構造について詳細に説明する。図５（ａ）（ｂ）（ｃ）は、支持アタッチメント５の構造を示す図であって、図５（ａ）は、支持アタッチメント５の平面図であり、図５（ｂ）は、支持アタッチメント５の正面図であり、図５（ｃ）は、支持アタッチメント５の右側面図である。
【００３４】
図５（ａ）（ｂ）（ｃ）に示すとおり、支持アタッチメント５はダンボールを用いて略矩形に形成された棒状部品であって、少なくとも物品支持面１７と、本体部３の天面７に面接して支持アタッチメント５の角度決めを行う接触面１８と、上述した対状係止孔１３に係止可能な対状係止部１９と、本体部３への装着状態を安定させる係止片２１と、を具備して構成されている。なお、本実施形態で用いる支持アタッチメント５は、上述以外にも面を具備しているが、構成上重要な部位でないため説明は省略する。
【００３５】
＜物品支持面１７及び接触面１８＞
物品支持面１７は、本体部３の天面７に配置した物品を支持するための面であり、接触面１８とは略鉛直に配設されている。なお、本実施形態では物品支持面１７の左右方向Ｘの長さ寸法を天面７の左右方向Ｘの長さ寸法と略同一に設定している。
【００３６】
＜対状係止部１９及び係止片２１＞
対状係止部１９は、上述した対状係止孔１３に係止することにより、支持アタッチメント５を本体部３に装着する部位であって、互いに対向する第一突起１９Ａ及び第二突起１９Ｂにより構成されており、第一突起１９Ａ及び第二突起１９Ｂは、接触面１８の両端で、接触面１８に対して略鉛直に立設している。また、第一突起１９Ａ及び第二突起１９Ｂは、対状係止孔１３を構成する第一孔１３Ａ及び第二孔１３Ｂに挿入可能な形状（本実施形態では板状）及び離間距離で形成することが望ましい。
【００３７】
係止片２１は、第一突起１９Ａ及び第二突起１９Ｂが具備するものであって、接触面１８と略平行かつ、物品支持面１７の前方に伸びる片である。後述にて詳細に説明するが、この係止片２１を具備することにより、天面７の裏面８に係止片２１が係止し、支持アタッチメント５と本体部３とを強固に装着することができる。なお、係止片２１の上端と接触面１８との離間距離は天面７の板厚に応じて決定することが望ましい。
【００３８】
＜展開状態の支持アタッチメント５＞
上述した支持アタッチメント５は、各面を備える独立した複数の板を組み合わせることで構成してもよいが、図６に示すように、各部を折って立体的に組立可能な一枚の板で構成してもよい。このような構成にすれば、組立の簡便化及び可逆的な変形が可能になる。図６は展開時の支持アタッチメント５を示す斜視図である。なお、図６は展開例であって、組み立てることで同様の支持アタッチメント５を構成できれば、その他の展開態様としてもよいことは言うまでもない。
【００３９】
＜支持アタッチメント５の組み立て＞
次に、図７（ａ）（ｂ）（ｃ）を用い、図６に示す展開態様を有した支持アタッチメント５の組み立て手順について詳細に説明する。図７（ａ）（ｂ）（ｃ）は、図６の展開態様を有した支持アタッチメント５の組み立て手順を示す図であって、図７（ａ）は、各面を折って支持アタッチメント５の形状にする状態を示す模式図であり、図７（ｂ）は、各面を係合した状態を示す模式図であり、図７（ｃ）は、対状係止部１９を立ち上げた状態を示す模式図である。
【００４０】
図７（ａ）及び（ｂ）に示すとおり、物品支持面１７及び接触面１８を下方に対向した状態で、各面を谷折りし、物品支持面１７の端縁と接触面１８の端縁とを係合させる。次に、図７（ｃ）に示すとおり、第一突起１９Ａ及び第二突起１９Ｂを接触面１８側に谷折りして立ち上げる。これら手順を完了することで支持アタッチメント５の組み立てが完了する。
【００４１】
＜本体部３に対する支持アタッチメント５の装着＞
次に、図８（ａ）（ｂ）（ｃ）を用いて本体部３に対する支持アタッチメント５の装着手順について詳細に説明する。図８（ａ）（ｂ）（ｃ）は、本体部３に対する支持アタッチメント５を装着する手順を示す図であって、図８（ａ）は、支持アタッチメント５の装着位置を選定する状態を示す模式図であり、図８（ｂ）は、対状係止孔１３に対状係止部１９を挿入する状態を示す模式図であり、図８（ｃ）は、本体部３に対する支持アタッチメント５の装着が完了した状態を示す模式図である。
【００４２】
上述のとおり、本体部３の天面７には、複数の対状係止孔１３が前後方向Ｙに所定の間隔で配置されている。本実施形態の紙製装飾棚１は、この複数の対状係止孔１３から任意に選択して支持アタッチメント５を装着することができるため、物品のサイズや形状に応じて所望の配置領域（配置位置）を形成することができる。
【００４３】
図８（ａ）に示すとおり、支持アタッチメント５の所望の装着位置に近い対状係止孔１３を選択し、支持アタッチメント５を接近させる。この際、係止片２１が前後方向Ｙの後方側に対向するよう支持アタッチメント５を配向させる。次に、図８（ｂ）に示すとおり、支持アタッチメント５の物品支持面１７を天面７側に対向させつつ、係止片２１を先行させて第一突起１９Ａを第一孔１３Ａに挿入し、第二突起１９Ｂを第二孔１９Ｂに挿入する。
【００４４】
続いて、物品支持面１７を再び前後方向Ｙの後方側に配向するよう支持アタッチメント５を回転し、接触面１８と天面７とを面接する。上記手順を完了することにより、本体部３に対する支持アタッチメント５の装着が完了する（特に図８（ｃ）参照）。なお、上記手順を逆に行えば本体部３から支持アタッチメント５を取り外すことができる。
【００４５】
図９を用いて支持アタッチメント５の装着状態をより具体的に説明する。図９は、天面７に対する支持アタッチメント５の装着状態を示す対状係止部１９近傍の断面図である。図９に示すとおり、接触面１８が天面７に面接することにより、この接触面１８と略鉛直に配設された物品支持面１７が天面７に対しても略鉛直に立設することになる。
【００４６】
また、第一孔１３Ａ及び第二孔１３Ｂに挿入された第一突起１９Ａ及び第二突起１９Ｂと、これが具備する係止片２１の上端が天面７の裏面８に当接している。これにより、物品支持面１７が前後方向Ｙの後方側から物品の重量を受けた際でも、双方の係止片２１が天面７の裏面８に支持され、支持アタッチメント５が前後方向Ｙに移動又は回転することを防止する。
【００４７】
＜棚アタッチメント２３の構造＞
続いて、図１０（ａ）及び（ｂ）を用いて棚アタッチメント２３の構造について詳細に説明する。図１０（ａ）及び（ｂ）は、棚アタッチメント２３の構造を示す図であって、図１０（ａ）は、棚アタッチメント２３の正面図であり、図１０（ｂ）は、図１０（ａ）における矢視Ａの断面図である。本実施形態で用いる棚アタッチメント２３は、物品を本体部３の天面７から上方に離間し、より観者の視線に入るよう効果的な物品の配置を可能とするアタッチメントである。
【００４８】
図１０（ａ）及び（ｂ）に示すとおり、棚アタッチメント２３は、少なくとも物品を配置する棚面２５と、棚面２５を高さ方向Ｚの上方に支持する脚部４９と、本体部３に棚アタッチメント２３を装着するための棚用係止片４１と、を具備して構成されている。
【００４９】
棚面２５は平滑で、二本の脚部４９により下方から支持されている。二本の脚部４９の下方にはそれぞれ二つの棚用係止片４１が配設されており、天面７が具備する棚用係止孔２９に挿入して係止させることができる。なお、本実施形態で用いる棚アタッチメント２３の構造は一例であり、所望する物品の配置により種々の態様を取ることができる。
【００５０】
＜本体部３に対する棚アタッチメント２３の装着＞
次に、図１１（ａ）及び（ｂ）を用いて、本体部３に対する棚アタッチメント２３の装着手順について詳細に説明する。図１１（ａ）及び（ｂ）は、本体部３に対して棚アタッチメント２３を装着する手順を示す図であって、図１１（ａ）は、棚用係止孔２９に棚用係止片４１を挿入する状態を示す模式図であり、図１１（ｂ）は、本体部３の天面７に棚アタッチメント２３が固定された状態を示す模式図である。
【００５１】
図１１（ａ）に示すとおり、本体部３の天面７上方に棚アタッチメント２３を移動し、棚用係止片４１を高さ方向Ｚの下方に配向する。二つの脚部４９がそれぞれ左右方向Ｘの両端に位置するよう方向を変更した後、棚用係止片４１をそれぞれ棚用係止孔２９に挿入し、双方を係止させる。図１１（ｂ）に示すとおり、棚面２５が本体部３の底面３５（換言すると接地面）と略平行になるよう、脚部４９の下端を天面７に当接する。以上の手順を終えることにより、本体部３に対する棚アタッチメント２３の装着が完了する。なお、上記手順を逆に行えば本体部３から棚アタッチメント２３を取り外すことができる。
【００５２】
３．紙製装飾棚の連結
本実施形態の紙製装飾棚は、複数を連結して使用することができる。図１２（ａ）及び（ｂ）と、図１３（ａ）（ｂ）（ｃ）と、を用いて紙製装飾棚の連結について詳細に説明する。図１２（ａ）及び（ｂ）は、連結に用いる連結片２７の構造を示す図であって、図１２（ａ）は、連結片２７の平面図であり、図１２（ｂ）は、使用状態の連結片２７の斜視図である。また、図１３（ａ）（ｂ）（ｃ）は、紙製装飾棚１０１と紙製装飾棚２０１との連結手順を示す図であって、図１３（ａ）は、紙製装飾棚１０１と紙製装飾棚２０１とを並列した状態を示す斜視図であり、図１３（ｂ）は、連結片２７の挿入を示す模式図であり、図１３（ｃ）は、天面７に対する連結片２７の装着状態を示す対状係止部４３近傍の断面図である。なお、ここでは、同じ二つの紙製装飾棚１０１と紙製装飾棚２０１とを用いて理解容易に説明を行う。
【００５３】
＜連結片２７＞
図１２（ａ）及び（ｂ）に示すとおり、連結には別途用意した複数の連結片２７を用いる。連結片２７は、ダンボールを用いて略コの字状に形成された板状部品であって、少なくとも第一突起４３Ａ及び第二突起４３Ｂから構成される対状係止部４３と、第一突起４３Ａ及び第二突起４３Ｂの端部に配設された係止片４５と、を具備して構成されている。
【００５４】
連結時、連結片２７は第一突起４３Ａ及び第二突起４３Ｂが対向するよう略中間位置で折り曲げられる。これにより、第一突起４３Ａ及び第二突起４３Ｂが略平行に配置され、互いが具備する係止片４５が略同一方向に配向する。
【００５５】
＜連結方法＞
上記連結片２７を用い、紙製装飾棚１０１と紙製装飾棚２０１を連結する。図１３（ａ）に示すとおり、まず紙製装飾棚１０１の右側面１１１と紙製装飾棚２０１の左側面２０９とを面接し、それぞれの本体部１０３、２０３を並列する。この際、双方の前面１３１、２３１が面一になるよう位置調整を行うことが望ましい。
【００５６】
次に、図１３（ｂ）に示すとおり、隣り合う第二孔１１３Ｂと第一孔２１３Ａとに連結片２７を挿入する。具体的には、紙製装飾棚１０１の第二孔１１３Ｂに連結片２７の第二突起４３Ｂを挿入し、紙製装飾棚２０１の第一孔２１３Ａに連結片２７の第一突起４３Ａを挿入する。
【００５７】
更に、図１３（ｃ）に示すとおり、連結片２７を前後方向Ｙの前方に倒し、係止片４５を天面７の裏面８に当接させる。また、上記手順で複数の連結片２７を紙製装飾棚１０１が具備する他の第二孔１１３Ｂと、紙製装飾棚２０１が具備する他の第一孔２１３Ａと、に挿入して係止することで紙製装飾棚１０１と紙製装飾棚２０１とが強固に連結される。
【００５８】
図１４に示すとおり、紙製装飾棚を複数連結することで、剛性を担保しつつ物品の配置領域を任意に変更することができ、より多くの物品を同時に配置することができる。また、室内のスペースに応じて紙製装飾棚を連結構成できるため、より意匠性の高い展示態様をとることができる。図１４は複数の紙製装飾棚を連結した状態を示す斜視図である。
【００５９】
以上、本考案の紙製装飾棚の代表的な実施形態について図面を参照しつつ説明してきたが、本考案は、これらの実施形態に限定されるものではなく、特許請求の範囲の記載の精神及び教示を逸脱しない範囲でその他の変形例や改良例が存在し、これらは全て本考案の技術的範囲に含まれる。
【００６０】
４．その他の支持アタッチメント
支持アタッチメントは、上述した略棒状の構成に限られず、配置する物品のサイズや形状に応じて種々の態様を用いることができる。例えば、図１５に示すように、本体部３の天面７を均等又は不均等に間仕切り可能な枡目（格子）型アタッチメント５１を構成し、この枡目型アタッチメントにより間仕切りした各区画５３内に物品を配置可能としてもよい。このようなアタッチメントを使用することにより、比較的小さな物品をそれぞれ位置決めして容易に整列配置することができ、より意匠性の高い展示が可能となる。なお、本体部３との係合は、支持アタッチメント５と略同様に対状係止孔１３に係止可能な係止部（図示せず）を複数配設すればよい。
【００６１】
また、上述のとおり、アタッチメントは本体部３と着脱自在に構成されているため、物品に応じて最適なアタッチメントを選択し、使用者が任意に変更することができる。本考案の紙製小食棚１は、このように種々のアタッチメントから選択することにより、配置領域（配置位置）を最適化することができる。なお、図１５は、枡目型アタッチメント５１の概要を示す模式図である。
【産業上の利用可能性】
【００６２】
本実施形態における紙製構造体は、軽量で取扱性及び収納性に優れ、物品のサイズや形状に応じて所望の配置領域（配置位置）を形成することができるものである。
【符号の説明】
【００６３】
１、１０１、２０１        紙製装飾棚
３、１０３、２０３        本体部
５、１０５、２０５        支持アタッチメント
７、１０７、２０７        天面
８、１０８、２０８        裏面
９、１０９、２０９        左側面
１１、１１１、２１１      右側面
１３、１１３、２１３      対状係止孔
１３Ａ、２１３Ａ          第一孔
１３Ｂ、１１３Ｂ          第二孔
１７                      物品支持面
１８                      接触面
１９                      対状係止部
１９Ａ                    第一突起
１９Ｂ                    第二突起
２１                      係止片
２３、１２３、２２３      棚アタッチメント
２５                      棚面
２７                      連結片
２９                      棚用係止孔
３１、１３１、２３１      前面
３３                      背面
３５                      底面
３７                      リブ
３９                      面接部
４１                      棚用係止片
４３                      対状係止部
４３Ａ                    第一突起
４３Ｂ                    第二突起
４５                      係止片
４７                      開口
４９                      脚部
５１                      枡目型アタッチメント
５３                      区画
【図１】
0003216747.tif 000003
【図２】
0003216747.tif 000004
【図３】
0003216747.tif 000005
【図４】
0003216747.tif 000006
【図５】
0003216747.tif 000007
【図６】
0003216747.tif 000008
【図７】
0003216747.tif 000009
【図８】
0003216747.tif 000010
【図９】
0003216747.tif 000011
【図１０】
0003216747.tif 000012
【図１１】
0003216747.tif 000013
【図１２】
0003216747.tif 000014
【図１３】
0003216747.tif 000015
【図１４】
0003216747.tif 000016
【図１５】
0003216747.tif 000017
【手続補正書】
【提出日】平成30年4月25日(2018.4.25)
【手続補正１】
【補正対象書類名】実用新案登録請求の範囲
【補正対象項目名】全文
【補正方法】変更
【補正の内容】
【実用新案登録請求の範囲】
【請求項１】
接地面に対して略鉛直に立設する左側面及び右側面と、左端近傍及び右端近傍に配設された二つの孔により構成される対状係止孔が前後方向に所定の間隔で複数配置された天面と、を含み、前記天面が後方から前方に下方傾斜し、前記天面の左端を前記左側面の上端と係合し、右端を前記右側面の上端と係合して構成した本体部と、
物品支持面と、前記対状係止孔に係止可能な対状係止部と、を含む支持アタッチメントと、を具備し、
前記支持面を前記天面の略後方側に対向させつつ、複数の前記対状係止孔から任意に選択して前記対状係止部を係止することで、前記天面に対して前記支持アタッチメントを位置調整自在に装着可能であること、
を特徴とする紙製装飾棚。
【請求項２】
前記支持アタッチメントが、前記物品支持面と略鉛直に配置されて前記天面に面接する接触面を具備すること、
を特徴とする請求項１に記載の紙製装飾棚。
【請求項３】
前記対状係止部が、前記接触面から略鉛直に立設した二つの突起を対にして構成され、前記突起が前記天面の裏面に係止する係止片を具備していること、
を特徴とする請求項２に記載の紙製装飾棚。
【請求項４】
前記天面が、前記天面より上方に位置した棚面を有する棚アタッチメントを着脱自在に具備すること、
を特徴とする請求項１〜３のうちのいずれかに記載の紙製装飾棚。
【請求項５】
複数の前記本体部と、隣接する前記本体部を連結する連結片と、を具備すること、
を特徴とする請求項１〜４のうちのいずれかに記載の紙製装飾棚。